(57)【要約】カラオケ情報受信パックのＲＦ信号およびそれを用いたカラオケシステムが開示される。ＲＦカラオケ情報受信パックは、受信アンテナを介して、無線マイクロホン装置から無線送信された歌声信号およびキー情報信号を受信するためのＲＦ受信器と、復調器により復調された信号から歌声信号とキー情報信号を分離するための音声／キー情報信号分離器と、ＲＦカラオケ情報信号受信パックの内部動作を制御すると同時に、外部コンピュータ装置にデジタル歌声信号とキー情報信号を送信する受信器ＭＣＵと、受信器ＭＣＵの制御下で、追加の歌が記録され、受信器ＭＣＵの制御下で追加の歌情報を送信するために拡張パックスロットに接続される拡張パックとを含む。
2006527417.tif 000002
【特許請求の範囲】
【請求項１】
受信アンテナを介して、無線マイクロホン装置から無線送信された歌声信号およびキー情報信号を受信するためのＲＦ受信手段と、
前記ＲＦ受信手段からの前記信号を復調するための復調手段と、
前記復調手段により復調された前記信号から歌声信号とキー情報信号を分離するための音声／キー情報分離手段と、
前記キー情報信号の波形を整形するための波形整形ユニットと、
前記歌声信号をデジタル信号に変換するためのＡ／Ｄ変換手段と、
コンピュータ機能と音響処理機能を持つ外部コンピュータ装置に接続され、外部コンピュータ装置にデジタル歌声信号とキー情報信号を送信すると同時に、ＲＦカラオケ情報信号受信パックの内部動作を制御する受信手段ＭＣＵと、
前記受信手段ＭＣＵの制御下で、前記外部コンピュータ装置に前記デジタル歌声信号とキー情報信号を送信するシリアル通信インターフェースと、
追加の歌が記録され、前記受信手段ＭＣＵの制御下で前記追加の歌の情報を送信するために拡張パックスロットに接続される拡張パックとを含むことを特徴とするＲＦカラオケ情報受信パック。
【請求項２】
請求項１に記載のＲＦカラオケ情報受信パックにおいて、前記シリアル通信インターフェースが、ＵＳＢドライブ、ＲＦ送受信手段、レーザ送受信手段および赤外線送受信手段の１つを用いて、有線あるいは無線形式で信号を送信あるいは受信することを特徴とするＲＦカラオケ情報受信パック。
【請求項３】
請求項１に記載のＲＦカラオケ情報受信パックにおいて、前記外部コンピュータ装置が、Ｘｂｏｘ（登録商標）ゲーム装置を含むことを特徴とするＲＦカラオケ情報受信パック。
【請求項４】
請求項１に記載のＲＦカラオケ情報受信パックにおいて、外部コンピュータ装置が、パーソナルコンピュータの本体を含むことを特徴とするＲＦカラオケ情報受信パック。
【請求項５】
請求項１ないし４のいずれか一項に記載のＲＦカラオケ情報受信パックにおいて、前記拡張パックが、
拡張パックの本体を構成する筐体と、
前記筐体の端部に沿って前記筐体内に固定され、ＲＦ信号を捕捉し、捕捉されたＲＦ信号を送信するアンテナ線と、
前記無線マイクロホン装置から送信され、前記アンテナ線によって捕捉されたＲＦ信号を復調し、前記ＲＦ信号から歌情報信号を分離するためのＲＦ信号受信パックと、
前記ＲＦ信号受信パックの出力信号線に電気的に接続され、オスコネクタが前記受信手段ＭＣＵの制御下で拡張スロットに接続されるように、前記筐体の一面から突出する、受信モジュールのためのオスコネクタと、
前記筐体に固定され、新しい歌の情報を保存し、前記情報を出力するための複数の保存パックとを含むことを特徴とするＲＦカラオケ情報受信パック。
【請求項６】
歌を選択するために用いられる数字キーおよび伴奏キーを含む種々のキーから生じたキー情報信号と、使用者の歌声信号を変調し、変調された前記キー情報信号および歌声信号を無線送信するための無線マイクロホン装置と、
コンピュータ機能、シリアル通信インターフェースおよび音響処理機能を含み、カラオケシステムの作動の主部となる外部コンピュータ装置と、
前記無線マイクロホン装置からの前記歌声信号およびキー情報信号を受信し、受信した前記歌声信号およびキー情報信号を復調し、復調された前記歌声信号およびキー情報信号を、前記シリアル通信インターフェースを介して前記外部コンピュータ装置に送信するためのＲＦカラオケシステム情報受信パックと、
前記外部コンピュータ装置により実行され、読み込まれるカラオケシステム作動プログラム、歌情報および背景画像情報を保存するための光ディスクと、
前記外部コンピュータ装置により供給される音声信号を再生するためにコネクタを介して前記外部コンピュータ装置に接続されるオーディオ装置とを含むことを特徴とするカラオケシステム。
【請求項７】
請求項６に記載のカラオケシステムにおいて、前記シリアル通信インターフェースが、ＵＳＢインターフェースを含むことを特徴とするカラオケシステム。
【請求項８】
請求項６または７に記載のカラオケシステムにおいて、前記光ディスクがＤＶＤ−ＲＯＭを含むことを特徴とするカラオケシステム。
【発明の詳細な説明】
【技術分野】
【０００１】
本発明は、カラオケ情報受信パックのＲＦ信号およびそれを用いたカラオケシステムに関する。より具体的には本発明は、簡単に歌が追加されるように、拡張パックが拡張パックスロットに接続され、本体がコンピュータ機能および、有線あるいは無線のシリアル通信機能を持ち、簡単に外部コンピュータ装置に接続され、そのため使用者が外部コンピュータ装置のコンピュータ機能を用いてカラオケを楽しむことができるカラオケ情報受信パックのＲＦ信号およびそれを用いたカラオケシステムに関する。
【背景技術】
【０００２】
大衆の娯楽装置として知られるカラオケシステムは、省スペース化への要求と半導体集積回路技術の発達により、マイクロホンとシステムの本体が互いに統合される形で構築された携帯式カラオケシステムへと発展している。携帯式カラオケ装置は、マイクロホンと同様の外観を持ち、本体の上部に配設されたマイクロホングリルと本体内に配設された種々の回路部品を含む。さらに、歌番号を選択するために必要な数字キーが本体の正面に配設され、選択された歌番号を表示するためのＬＣＤが数字キーの上部に配置される。携帯式カラオケシステムから出力された映像信号は、ケーブルを通してＴＶ受信機等のＡＶシステムの映像入力ポートに供給され、携帯式カラオケシステムから出力された音声信号は、再生されるべく、ワイヤを通してＴＶ受信機の音声入力ポートに送信される。
【０００３】
しかしながら、従来の携帯式カラオケシステムは、全ての部品が本体内に組み込まれているため、大きく、重く、高価である。
【０００４】
その一方で、コンピュータモニターよりも大きな画面と、コンピュータよりも優れた音声処理性能を持つＴＶ受信機に簡単に接続することができ、それにより使用者がゲームを楽しむことができる種々のコンピュータゲーム装置が、市場に出ている。ソニー株式会社のＰｌａｙｓｔａｔｉｏｎ（登録商標）およびマイクロソフト社のＸｂｏｘ（登録商標）は代表的なゲーム装置である。さらに、ＣＰＵ処理速度およびメモリ容量が非常に増加したため、パーソナルコンピュータのものと同程度に強力な、高性能ＣＰＵ、大容量メモリおよび種々の周辺機器がゲーム装置に搭載される。しかしながら、これらのゲーム装置はゲームのためのみに使用され、その高い性能にもかかわらず、他の目的のために使用されていない。
【０００５】
その上、ゲームプログラムは、希望のゲームあるいは希望の歌を楽しむためにダウンロードすることができるように、パーソナルコンピュータにインストールされる。しかしながら、選択された歌の歌詞はパーソナルコンピュータを用いて表示することはできない。
【発明の開示】
【０００６】
したがって、本発明は先行技術に発生する上記の問題を勘案してなされたものであり、本発明の目的は、簡単に歌が追加されるように、拡張パックが拡張パックスロットに接続され、本体がコンピュータ機能および、有線あるいは無線のシリアル通信機能を持ち、簡単に外部コンピュータ装置に接続され、そのため使用者が外部コンピュータ装置のコンピュータ機能を用いてカラオケを楽しむことができるカラオケ情報受信パックのＲＦ信号およびそれを用いたカラオケシステムを提供することである。
【０００７】
上記目的を達成するために、本発明の一態様にしたがって、受信アンテナを介して、無線マイクロホン装置から無線送信された歌声信号およびキー情報信号を受信するためのＲＦ受信手段と、ＲＦ受信部からの信号を復調するための復調手段と、復調手段により復調された信号から歌声信号とキー情報信号を分離するための音声／キー情報信号分離手段と、キー情報信号の波形を整形するための波形整形ユニットと、歌声信号をデジタル信号に変換するためのＡ／Ｄ変換手段と、コンピュータ機能と音響処理機能を持つ外部コンピュータ装置に接続され、外部コンピュータ装置にデジタル歌声信号とキー情報信号を送信すると同時に、ＲＦカラオケ情報信号受信パックの内部動作を制御する受信手段ＭＣＵと、受信手段ＭＣＵの制御下で、外部コンピュータ装置にデジタル歌声信号とキー情報信号を送信するシリアル通信インターフェースと、追加の歌が記録され、受信手段ＭＣＵの制御下で追加の歌情報を送信するために拡張パックスロットに接続される拡張パックとを含むＲＦカラオケ情報受信パックが提供される。
【０００８】
シリアル通信インターフェースはＵＳＢインターフェースであり得る。また外部コンピュータ装置は、Ｘｂｏｘ（登録商標）ゲーム装置あるいはパーソナルコンピュータの本体であり得る。
【０００９】
上記目的を達成するために、本発明の他の態様にしたがって、歌を選択するために用いられる数字キーおよび伴奏キーを含む種々のキーから生じたキー情報信号と、使用者の歌声信号を変調し、変調されたキー情報信号および歌声信号を無線送信するための無線マイクロホン装置、コンピュータ機能、シリアル通信インターフェースおよび音響処理機能を含み、カラオケシステムの作動の主部となる外部コンピュータ装置、無線マイクロホン装置からの歌声信号およびキー情報信号を受信し、受信した歌声信号およびキー情報信号を復調し、復調された歌声信号およびキー情報信号を、シリアル通信インターフェースを介して外部コンピュータ装置に送信するためのＲＦカラオケシステム情報受信パック、外部コンピュータ装置により実行され、読み込まれるカラオケシステム作動プログラムを保存する光ディスク、歌情報および背景画像情報、および外部コンピュータ装置により供給される音声信号を再生するためにコネクタを介して外部コンピュータ装置に接続されるオーディオ装置を含むカラオケシステムもまた提供される。
【００１０】
（図面の簡単な説明）
本発明のさらなる目的および利点は、添付の図面と併せた以下の詳細な説明からより十分に理解することができる。
【００１１】
図１は、本発明の実施例にしたがったカラオケシステムの構成を示す。
【００１２】
図２は、図１に示すカラオケシステムの無線マイクロホン装置のブロック図である。
【００１３】
図３は、図１のカラオケシステムのＲＦカラオケ情報受信パックとして用いられるシリアル通信ドライバのブロック図である。
【００１４】
図４は、図１のカラオケシステムのＸｂｏｘ（登録商標）ゲーム装置のブロック図である。
【００１５】
図５は、本発明のカラオケシステムの作動を示すフローチャートである。
【００１６】
図６ａは、本発明の実施例にしたがった拡張パックの斜視図である。
【００１７】
図６ｂは、本発明の実施例にしたがった拡張パックの平面図である。
【００１８】
図７は、本発明の他の実施例にしたがったＸｂｏｃ（登録商標）ゲーム装置の代わりにパーソナルコンピュータを用いたカラオケシステムを示す。
【発明を実施するための最良の形態】
【００１９】
本発明は、添付の図面を参照して、好ましい実施例に関連して詳細に開示される。
【００２０】
図１は、本発明の実施例にしたがったカラオケシステムの構成を示す。本発明にしたがったカラオケシステムの構成において、例として、シリアル通信ドライバがＲＦカラオケ情報信号受信パックとして用いられ、Ｘｂｏｘ（登録商標）ゲーム装置が外部コンピュータ装置として用いられる。
【００２１】
本発明の実施例にしたがったカラオケシステムは、無線マイクロホン装置１００、ＲＦカラオケ情報受信パック２００としてのシリアル通信ドライバ、カラオケシステムの作動の主部である外部コンピュータ装置としてのＸｂｏｘ（登録商標）ゲーム装置、デジタルビデオディスク（ＤＶＤ）ＲＯＭ４００、およびＴＶ受信機５００を含む。無線マイクロホン装置１００は、歌を選択するために用いられる数字キーおよび伴奏キーを含む種々のキーから生じたキー情報信号と、使用者の歌声信号を変調し、変調された情報および信号を無線送信する。ＲＦカラオケ情報受信パック２００としてのシリアル通信ドライバは、Ｘｂｏｘ（登録商標）ゲーム装置３００のシリアル通信ポート、例えばジョイスティック入力ポートに接続される。ＲＦカラオケ情報受信パック２００は、無線マイクロホン装置１００から送信されたキー情報信号および歌声信号を受信して復調し、復調された情報および信号を外部コンピュータ装置３００に送信する。ＤＶＤ−ＲＯＭ４００は、Ｘｂｏｘ（登録商標）ゲーム装置３００により実行され、読み込まれるカラオケシステム作動プログラム４１０、歌情報保存ユニット４２０および背景画像情報保存ユニット４３０を含む。ＴＶ受信機５００は、ＡＶコネクタを介してＸｂｏｘ（登録商標）ゲーム装置３００に接続され、Ｘｂｏｘ（登録商標）ゲーム装置３００から送信された映像および音声信号を、視聴覚的に再生する。
【００２２】
無線マイクロホン装置１００は、使用者が握ることができる本体１０２、本体１０２の上部に備えられたマイクロホングリル１０４、および本体１０２の中央部に配されたキーパッド１０６を含む。
【００２３】
マイクロソフト社の次世代テレビゲーム装置であるＸｂｏｘ（登録商標）ゲーム装置３００は、Ｉｎｔｅｌ（登録商標）Ｐｅｎｔｉｕｍ（登録商標）ＩＩＩ  ７３３ＭＨｚ  ＣＰＵ、８ＧＢ以上の容量を持つ大容量ハードディスクドライブ、６４ＭＢメインメモリ、高性能グラフィックプロセッサ（グラフィックカード）、４つのコントローラポート（ジョイスティック入力ポート）、１つのＡＶ出力ポート、１つのＥｔｈｅｒｎｅｔ（登録商標）ポート、５×ＤＶＤ−ＲＯＭドライブ、２５６のオーディオチャンネル、６４の３Ｄオーディオチャンネル、および音声デジタル−アナログ変換器を含む。Ｘｂｏｘ（登録商標）ゲーム装置３００は、ＭＩＤＩ（ミュージカル  インストゥルメント  デジタル  インターフェース）に対応している。
【００２４】
シリアル通信ドライバ２００は、ＵＳＢ（ユニバーサル  シリアル  バス）ドライブ、ＦＭ送受信器、レーザ送受信器および赤外線送受信器の１つを用いて、無線あるいは有線形式で信号を送信し、受信する。
【００２５】
図２は、図１に示すカラオケシステムの無線マイクロホン装置のブロック図である。図２に関して、無線マイクロホン１００は、キー入力ユニット１１０、マイクロホン１４０、マイクロコントローラユニット１２０、ＲＦ変調器１３０、
およびＲＦ送信器１５０を含む。キー入力ユニット１１０は、歌を選択するために用いられる数字キー、伴奏キーおよび他の機能キーを介して、使用者により入力された指令を受信する。マイクロホン１４０は、使用者の歌声を電気的な音声信号に変換する。マイクロコントローラユニット１２０は、キー入力ユニット１１０に入力された指令を識別し、各指令に対応したキー情報信号を出力する。以下、マイクロコントローラユニット１２０はＭＣＵと称し、ＭＣＵ１２０を、後述するシリアル通信ドライバに含まれるＭＣＵと区別する必要がある場合は、前者を“送信器ＭＣＵ”と称し、後者を“受信器ＭＣＵ”と称す。
【００２６】
ＲＦ変調器１３０は、マイクロホン１４０から送信された音声信号および送信器ＭＣＵ１２０から送られたキー情報信号を、所定のＲＦ周波数信号に変調する。ＲＦ送信器１５０は、送信アンテナ１６０を介して、ＲＦ変調器１３０により変調されたキー情報信号および音声信号を送信する。無線マイクロホン装置はさらに、送信器ＭＣＵ１２０の制御下で選択された歌番号を使用者が確認するために用いられるＬＣＤパネルを含む。
【００２７】
図３は、図１のカラオケシステムのＲＦカラオケ情報受信パックとして用いられるシリアル通信ドライバのブロック図である。図３に関して、シリアル通信ドライバは、ＲＦ受信器２２０、復調器２３０、音声／キー情報信号分離器２４０、波形整形ユニット２５０、Ａ／Ｄ変換器２６０、マイクロコントローラユニット（受信器ＭＣＵ）２７０、シリアル通信インターフェース２９０、および拡張パック２８０を含む。
【００２８】
ＲＦ受信器２２０は、受信アンテナ２１０を介して、無線マイクロホン装置１００から無線送信された信号を受信する。復調器２３０は、ＲＦ受信器２２０からの信号を復調する。音声／キー情報信号分離器２４０は、復調器２３０により復調された信号から音声信号とキー情報信号を分離する。波形整形ユニット２５０は、キー情報信号の波形を整形する。Ａ／Ｄ変換器２６０は、アナログ音声信号をデジタル信号に変換する。受信器ＭＣＵユニット２７０は、シリアル通信ドライバの内部動作を制御するための、コンピュータ機能、シリアル通信インターフェース、および音響処理機能を持つ外部コンピュータ装置（本実施例においてはＸｂｏｘ（登録商標）ゲーム装置）に接続され、同時に、外部コンピュータ装置にデジタル音声信号とキー情報信号を送信する。シリアル通信インターフェース２９０は、受信器ＭＣＵ２７０の制御下で、外部コンピュータ装置にデジタル音声信号とキー情報信号を送信する。追加の歌を保存するための拡張パック２８０は、受信器ＭＣＵ２７０の制御下で、追加の歌の情報を送信するために拡張パックスロット２８１に接続される。新たに追加された歌情報は、使用者が低額で簡単に新しく追加された歌を楽しむことができるように、拡張パック２８０に保存される。
【００２９】
図４は、図１のカラオケシステムのＸｂｏｘ（登録商標）ゲーム装置のブロック図である。図４に関して、Ｘｂｏｘ（登録商標）ゲーム装置は、インストールされたオペレーティングシステムにしたがってゲーム装置の構成部品を制御するためのＣＰＵ３１０、ＣＰＵ３１０の制御下でＤＶＤ−ＲＯＭ４００に保存された情報を読み込むためのＤＶＤ−ＲＯＭドライバ３２０、内部のＭＩＤＩインターフェースに対応するための音源モジュール３４２、ＷＡＶＥ  ＭＩＤＩを種々のチャンネルを介して入力された音声と混合するための混合器３４４を持つ音源カード３４０、ゲームに関連する画像を処理するためのグラフィックカード３５０、４つのコントローラポート、およびＵＳＢインターフェース３３０を構成するハードディスク（不図示）を含む。
【００３０】
ＤＶＤ−ＲＯＭ４００は、カラオケシステム作動プログラム４１０、歌情報を保存するための歌情報保存ユニット４２０、および背景画像を構成する映像情報を保存するための背景画像情報保存ユニット４３０を含む。歌情報保存ユニット４２０は、メロディー情報であるＭＩＤＩ情報と、ＭＩＤＩ情報と同期化された歌詞情報を保存する。
【００３１】
カラオケシステム作動プログラム４１０は、音声／キー情報分離ユニット４１１、キー情報処理ユニット４１２、音響処理ユニット４１３、キャプション処理ユニット４１４、背景画像処理ユニット４１５、音声出力ユニット４１６、映像出力ユニット４１７、および他機能処理ユニット４１８を含む。音声／キー情報分離ユニット４１１は、ＵＳＢインターフェース３３０を介して入力されたデジタル音声信号およびキー情報信号を互いに分離する。キー情報処理ユニット４１２は、分離されたキー情報の内容と種類を識別する。音響処理ユニット４１３は、歌情報保存ユニット４２０に保存された、対応する歌の歌情報を読み込み、ＭＩＤＩ情報を音源モジュール３４２に供給するために歌情報からＭＩＤＩ情報を分離し、音声／キー情報分離ユニット４１１により分離されたデジタル音声信号を混合器３４４に供給する。キャプション処理ユニット４１４は歌情報を読み込み、歌情報から歌詞情報を分離する。背景画像処理ユニット４１５は、背景画像情報保存ユニット４３０に保存された背景画像情報を読み込み、キャプション処理ユニット４１４により分離された歌詞を、背景画像情報に対応する背景画像上に重ねる。音声出力ユニット４１６は、音声信号、すなわち歌声信号と音源モジュール３４２により処理されたメロディーの混合信号を、ＴＶ受信機の音声ポートに出力する。映像出力ユニット４１７は、背景画像処理ユニット４１５により処理された背景画像および歌詞を、ＴＶ受信機の映像ポートに出力する。他機能処理ユニット４１８は、録音機能および、エコーおよびコーラス等の種々の音響効果を発生させる機能を含む、多くの機能を処理する。
【００３２】
好ましくは、ＤＶＤ−ＲＯＭ４００に含まれるカラオケシステム作動プログラムは、Ｘｂｏｘ（登録商標）ゲーム装置３００により実行された場合に、ハードディスクに自動的にインストールされる。さらに、歌情報および背景画像情報は、ハードディスクに転送することができる。
【００３３】
図５は、本発明のカラオケシステムの作動を示すフローチャートである。ここで、Ｘｂｏｘ（登録商標）ゲーム装置３００のＣＰＵ３１０は、ＤＶＤ−ＲＯＭに含まれるカラオケシステム作動プログラム４１０と協働してカラオケシステムの作動を実行する。
【００３４】
図５に関して、ステップＳ１０において、シリアル通信ドライバ２００がＸｂｏｘ（登録商標）ゲーム装置のコントローラポートに接続され、Ｘｂｏｘ（登録商標）ゲーム装置３００は電源を投入される。ステップＳ１２において、ＤＶＤ−ＲＯＭ４００がＤＶＤトレイ（不図示）に装着されると、ＣＰＵ３１０は背景画像に対応する映像情報をＴＶ受信機５００に出力し、キー情報信号の入力を待つ。つづいて、ステップＳ１４において、ＣＰＵ３１０が、キー情報信号が入力されたか否かを判断する。キー情報信号が入力された場合は、ステップＳ１６において、ＣＰＵ３１０が、入力されたキー情報信号が歌番号についてのキー情報信号であるか否かを判断する。入力されたキー情報が歌番号についてのキー情報であった場合は、ステップＳ１８において、ＣＰＵ３１０は歌番号を保存し、ルーチンはステップＳ１２に戻る。入力されたキー情報が歌番号についてのキー情報ではなかった場合、ステップＳ２０において、ＣＰＵ３１０は入力されたキー情報が伴奏キー情報であるか否かを判断する。
【００３５】
入力されたキー情報が伴奏キー情報であった場合は、ステップＳ２２において、ＣＰＵは保存された歌番号があるか否かを判断する。保存された歌番号がある場合には、ステップＳ２６において、ＣＰＵはＭＩＤＩ情報を対応する歌情報から分離し、ＭＩＤＩ情報を音源モジュール３４２に出力し、ステップＳ２８において、歌情報からキャプション情報を分離してキャプション情報を出力する。保存された歌番号がない場合は、ステップＳ２４において、ＣＰＵはエラー処理し、ルーチンはステップＳ１２に戻る。
【００３６】
ステップＳ３０において、ＣＰＵは歌声信号が入力されたか否かを判断する。歌声信号が入力された場合は、ステップＳ３２において、ＣＰＵは歌声信号を混合器３４４に出力する。混合器３４４は、歌声信号を音源モジュール３４２によって供給されたメロディーと混合し、混合された信号を、音声ポートを介してＴＶ受信機５００に出力する。
【００３７】
その後、ステップ３４において、ＣＰＵは対応する歌の伴奏が終わったか否かを判断する。伴奏が終わっていない場合は、ルーチンはステップＳ２６に戻り、伴奏が終わった場合は、ステップＳ２２に戻る。
【００３８】
ステップＳ２０において、入力されたキー情報が伴奏キー情報でない場合は、ステップＳ３６において、ＣＰＵは終了キーが入力されたか否かを判断する。終了キーが入力されていない場合は、ステップＳ４０において、ＣＰＵはキー情報の機能を処理し、終了キーが入力された場合は、ステップＳ３８において、Ｘｂｏｘ（登録商標）ゲーム装置３００の構成部品は終了するように要求される。
【００３９】
図６ａおよび６ｂは、本発明の実施例にしたがった拡張パックを示す。図６ａは拡張パックの斜視図であり、図６ｂは拡張パックの平面図である。
【００４０】
拡張パックは、拡張パックの本体を構成する筐体２８２、アンテナ線２８３、ＲＦ信号受信パック２８４、受信モジュールのためのオスコネクタ２８５、および複数の保存パック２８６を含む。アンテナ線２８３は、筐体の端部に沿って筐体内に固定され、ＲＦ信号を送信するためにＲＦ信号を捕捉する。ＲＦ信号受信パック２８４は、無線マイクロホンから送信され、アンテナ線２８３によって捕捉されたＲＦ信号を復調し、ＲＦ信号から歌情報信号を分離する。オスコネクタ２８５は、ＲＦ信号受信パック２８４の出力信号線に電気的に接続され、オスコネクタが受信器ＭＣＵ２７０の制御下で拡張スロット２８１に接続されるように、筐体２８２の一面から突出する。複数の保存パック２８６は、筐体２８２に固定され、新しい歌についての情報を保存する。
【００４１】
アンテナ線２８３はＵ字形状に形成することができるが、アンテナ線の形状はこれに限定されない。アンテナ線２８３は、筐体２８２内の適切な位置で所定の長さに形成することができる。
【００４２】
図７は、本発明の他の実施例にしたがった、Ｘｂｏｃ（登録商標）ゲーム装置の代わりにパーソナルコンピュータを用いたカラオケシステムを示す。図７に関して、カラオケシステムは、無線マイクロホン装置１００、シリアル通信ドライバ２００、およびパーソナルコンピュータ６００を含む。無線マイクロホン装置１００は、歌を選択するために用いられる数字キーおよび伴奏キーを含む種々のキーから生じたキー情報信号と、使用者の歌声信号を変調し、変調された情報および信号を無線送信する。シリアル通信ドライバ２００は、パーソナルコンピュータ６００のシリアル通信ポートに接続され、無線マイクロホン装置１００からのキー情報信号および歌声信号を受信し、キー情報信号および歌声信号を復調し、復調された信号をパーソナルコンピュータ６００に送信する。
【００４３】
パーソナルコンピュータ６００は、カラオケシステムの作動の主部である。パーソナルコンピュータ６００は、カラオケシステム作動プログラムがインストールされる歌詞情報保存ユニット６１０、背景画像情報保存ユニット６２０、音源モジュール６３０、サウンドプロセッサ６４０、およびキャプションプロセッサ６５０を含む。歌詞情報保存ユニット６１０は歌詞情報を保存し、背景画像情報保存ユニット６２０は背景に対応する映像情報を保存する。サウンドプロセッサ６４０は、歌詞情報保存ユニット６１０に保存された歌についての歌情報を読み込み、音源モジュール６３０にＭＩＤＩ情報を提供するために歌情報からＭＩＤＩ情報を分離する。キャプションプロセッサ６５０は、歌詞情報保存ユニット６１０から対応する歌についての歌詞情報を読み込み、歌詞情報からキャプション情報を分離する。
【００４４】
例えば、音源カード、ＵＳＢポートおよびスピーカを含むコンピュータは、外部コンピュータ装置として用いることができる。さらに、Ｘｂｏｘ（登録商標）ゲーム装置と同様の機能を持つゲーム装置は、外部コンピュータ装置として用いることができる。コンピュータが外部コンピュータ装置として用いられる場合は、コンパクトディスクはＤＶＤと取って代わることができる。その上、高い作動速度を持ち、ホストコントローラを必要としないシリアル通信インターフェースを持つＩＥＥＥ１３９４装置が、シリアル通信ドライバに取って代わることができる。
【００４５】
本発明は特定の実施形態を参照して開示されるが、本発明は実施形態により限定されるべきではなく、添付の請求項によってのみ限定される。この分野における通常の知識を有する者が、本発明の範囲および精神を離れることなく実施形態を変更あるいは修正できることは、認識されるべきである。
【産業上の利用可能性】
【００４６】
本発明にしたがって、使用者の所有する外部コンピュータ装置を用いることができるため、無線マイクロホン装置、ＲＦカラオケ情報受信パック、およびＤＶＤのみが安価なカラオケシステムを構成するために必要である。したがって、使用者の外部コンピュータ装置は、種々の目的のために利用することができる。さらに、本発明は、使用者が移動したときに、簡単にカラオケシステムを持ち運ぶことができるような小型の携帯式カラオケシステムを提供することができる。
【図面の簡単な説明】
【００４７】
【図１】本発明の実施例にしたがったカラオケシステムの構成を示す図
【図２】カラオケシステムの無線マイクロホン装置のブロック図
【図３】カラオケシステムのシリアル通信ドライバのブロック図
【図４】カラオケシステムのＸｂｏｘ（登録商標）ゲーム装置のブロック図
【図５】カラオケシステムの作動を示すフローチャート
【図６ａ】拡張パックの斜視図
【図６ｂ】拡張パックの平面図
【図７】本発明の他の実施例にしたがったパーソナルコンピュータを用いたカラオケシステムの構成を示す図
【図１】
2006527417.tif 000003
【図２】
2006527417.tif 000004
【図３】
2006527417.tif 000005
【図４】
2006527417.tif 000006
【図５】
2006527417.tif 000007
【図６ａ】
2006527417.tif 000008
【図６ｂ】
2006527417.tif 000009
【図７】
2006527417.tif 000010
【国際調査報告】
2006527417.tif 000011